(57)【要約】【課題】操作ユニットを備えた改良型顕微鏡装置を提供する。【解決手段】本発明によれば、顕微鏡装置の装置機能を制御するための操作ユニット（４００）及び顕微鏡（２００）を有する顕微鏡装置（１００）において、操作ユニット（４００）がグーズネックホルダー（５００）により顕微鏡装置の部品として担持されることで解決される。【選択図】図２
2013065010.tif 000002
【特許請求の範囲】
【請求項１】
顕微鏡装置の装置機能を制御するための操作ユニット（４００）及び顕微鏡（２００）を有する顕微鏡装置（１００）において、操作ユニット（４００）がグーズネックホルダー（５００）により担持されることを特徴とする顕微鏡装置。
【請求項２】
操作ユニット（４００）が、タッチパッド及び／又はタッチスクリーン及び／又はセンサー及び／又はスイッチを有することを特徴とする請求項１に記載の顕微鏡装置（１００）。
【請求項３】
操作ユニット（４００）が、操作ユニット（４００）に収容されていない電子制御手段と協働する操作要素（４０１）を有することを特徴とする請求項１又は２に記載の顕微鏡装置（１００）。
【請求項４】
照明装置（７００）を有し、操作ユニット（４００）が照明機能を操作するように設定されていることを特徴とする請求項１〜３のいずれか一項に記載の顕微鏡装置（１００）。
【請求項５】
照明装置が操作ユニット（４００）に一体化されていることを特徴とする請求項４に記載の顕微鏡装置（１００）。
【請求項６】
照明装置（７００）が、少なくとも１つの他のグーズネックホルダー（７０２）により担持された少なくとも１つの光源（７０１）を有することを特徴とする請求項４に記載の顕微鏡装置（１００）。
【請求項７】
グーズネックホルダー（５００）と少なくとも１つの他のグーズネックホルダー（７０２）とが、照明装置（７００）用の電子制御手段が配置された共通のキャリアハウジング（６００）に取り付けられることを特徴とする請求項６に記載の顕微鏡装置（１００）。
【請求項８】
キャリアハウジング（６００）が顕微鏡装置（１００）に取り外し可能に取り付けられることを特徴とする請求項７に記載の顕微鏡装置（１００）。
【請求項９】
グーズネックホルダー（５００）と少なくとも１つの他のグーズネックホルダー（７０３，７０４）とが、実質的に同じ長さを有することを特徴とする請求項６，７又は８に記載の顕微鏡装置（１００）。
【請求項１０】
少なくとも１つの他のグーズネックホルダー（７０３，７０４）が顕微鏡装置（１００）に取り外し可能に取り付けられることを特徴とする請求項６〜９のいずれか一項に記載の顕微鏡装置（１００）。
【請求項１１】
照明装置（７００）が多数の光源（７０１）を有し、光源の明るさが操作ユニット（４００）により一緒に又は個々に制御され得ることを特徴とする請求項４〜１０のいずれか一項に記載の顕微鏡装置（１００）。
【請求項１２】
操作ユニット（４００）から顕微鏡装置（１００）への操作接続がワイヤレスで実現されることを特徴とする請求項１〜１１のいずれか一項に記載の顕微鏡装置（１００）。
【請求項１３】
操作ユニット（４００）はグーズネックホルダー（５００）に取り外し可能に取り付けられ、及び／又はグーズネックホルダー（５００）は顕微鏡端部に取り外し可能に取り付けられることを特徴とする請求項１〜１２のいずれか一項に記載の顕微鏡装置（１００）。
【請求項１４】
グーズネックホルダーは顕微鏡端部で顕微鏡（２００）に対して中央に取り付けられることを特徴とする請求項１〜１３のいずれか一項に記載の顕微鏡装置（１００）。
【請求項１５】
顕微鏡（２００）は、より具体的には５ｃｍより大きい操作距離を有する光学顕微鏡、特に立体顕微鏡であることを特徴とする請求項１〜１４のいずれか一項に記載の顕微鏡装置（１００）。
【請求項１６】
照明機能を操作するために設定された操作ユニット（４００）、キャリアハウジング（６００）及び照明装置（７００）を有する、顕微鏡（２００）のための照明装置であって、操作ユニット（４００）が、グーズネックホルダー（５００）によってキャリアハウジング（６００）に取り付けられていることを特徴とする照明装置。
【請求項１７】
操作ユニット（４００）が、タッチパッド及び／又はタッチスクリーン及び／又はセンサー及び／又はスイッチを有することを特徴とする請求項１６に記載の照明装置。
【請求項１８】
操作ユニット（４００）が、キャリアハウジング（６００）に配置された電子制御手段と協働する操作要素（４０１）を有することを特徴とする請求項１６又は１７に記載の照明装置。
【請求項１９】
照明装置（７００）が、少なくとも１つの別なグーズネックホルダー（７０２）によりキャリアハウジング（６００）に取り付けられた少なくとも１つの光源（７０１）を有することを特徴とする請求項１６〜１８のいずれか一項に記載の照明装置。
【請求項２０】
グーズネックホルダー（５００）と少なくとも１つの別なグーズネックホルダー（７０３，７０４）とが、実質的に同じ長さを有することを特徴とする請求項１６〜１９のいずれか一項に記載の照明装置。
【請求項２１】
少なくとも１つの別なグーズネックホルダー（７０３，７０４）がキャリアハウジング（６００）に取り外し可能に取り付けられることを特徴とする請求項１６〜２０のいずれか一項に記載の照明装置。
【請求項２２】
照明装置（７００）が多数の光源（７０１）を有し、光源の明るさが操作ユニット（４００）により一緒に又は個々に制御され得ることを特徴とする請求項１６〜２１のいずれか一項に記載の照明装置。
【請求項２３】
操作ユニット（４００）はグーズネックホルダー（５００）に取り外し可能に取り付けられ、及び／又はグーズネックホルダー（５００）はキャリアハウジング（６００）に取り外し可能に取り付けられることを特徴とする請求項１６〜２２のいずれか一項に記載の照明装置。
【発明の詳細な説明】
【技術分野】
【０００１】
本発明は、グーズネック操作ユニットを有する顕微鏡装置及び照明装置に関する。
【背景技術】
【０００２】
顕微鏡装置の装置機能を実施するための操作ユニット及び顕微鏡を有する顕微鏡装置が一般に知られている。装置機能は、例えば明るさ等の照明機能、移動機能等の電動機能（例えば、拡大、ズーム、結像、顕微鏡ステージの移動等）、他の多くの物を含む。操作ユニットは、電子制御手段と協働する操作要素のみ又は顕微鏡装置内の他の箇所に制御回路を有してもよい。しかしながら、電子制御手段は操作ユニットに一体化されてもよい。電子制御手段は装置機能をトリガーする適切なアクチュエータを作動する。
【０００３】
例えば特許文献１から、２つの操作ユニットを有する顕微鏡装置が知られている。その一方はコンピュータマウスの形式であるのに対し、他方は実際のコンピュータとして具体化されている。両者はケーブル接続により顕微鏡装置に接続している。
【０００４】
しかしながら、公知の操作ユニットは不都合を有している。これら操作ユニットが例えばケーブルにより顕微鏡装置に緩く取り付けられているだけの場合、操作ユニットは試験ベンチ上の追加スペースを占め、運搬の際又は貯蔵の間に紛失するかもしれない。この種の操作ユニットは、操作の際誤って動かないように一般に構造的に非常にかさばる。これが操作ユニットの占めるスペースをさらに増大させる。
【０００５】
操作ユニットが顕微鏡装置、例えばスタンドに直接設置される場合、そのアクセス性と操作性は限られる。これは特に操作者が左利きのときに当てはまる。
【０００６】
多数の操作ユニットによって、それらが操作者の視野内に配置されず、使用の間操作者が操作ユニットと顕微鏡の間で視点を前後に絶え間なく切り替えなければならないという問題もある。
【０００７】
コンピュータを使用する顕微鏡操作は複雑で、前述の問題に加えて広範なスペースを占めるという欠点もある。コンピュータも同伴しなければならない事情から、顕微鏡装置の運搬もより困難になる。
【先行技術文献】
【特許文献】
【０００８】
【特許文献１】ＤＥ１０２４９１７７Ａ１
【発明の概要】
【発明が解決しようとする課題】
【０００９】
上述の不都合を克服するために、操作ユニットを備えた改良型顕微鏡装置を提供することが望ましい。
【課題を解決するための手段】
【００１０】
本発明により、独立請求項の特徴を備えた顕微鏡装置及び照明装置を提案する。有利な実施形態は従属請求項と以下の明細書の主題である。
【００１１】
本発明は、操作ユニットをグーズネックホルダーによって顕微鏡装置に取り付けることを提案する。用語「グーズネック」（「スワンネック」、「雁首」とも呼ぶ）は、柔軟性のある、寸法安定又は形状安定のアームを意味する。それは、好ましくは重力や運んでいるものの重量より大きい最小限の力の適用により変形し得る。従来技術では、グーズネックはしばしばコイル状金属管からなる。本発明の目的のためにグーズネックは、中空でも中実でもよく、どんな所望の材料（例えば、金属やプラスチック）で作られてもよく、螺旋状に巻かれていても他の構造を有してもよい。本質的なことは、それが柔軟性があり、寸法安定（形状安定）であることである。
【００１２】
本発明の範囲内で、操作ユニットを備えた顕微鏡装置が提案され、操作ユニットは顕微鏡に固定して接続されるが、比較的に自由に位置決めされ得る。特に、操作ユニットはそれらに適した位置に操作者によって特に容易に配置され得る。例えば、操作ユニットの高さと位置は右利きと左利きの両方の人々に対して配置され得る。顕微鏡に固定的に接続することで、操作ユニットが紛失しないことが保障される。しかも、操作ユニットは試験ベンチ上に全く場所を占めない。本発明の範囲内で提案される操作ユニットは特に片手で配置され、さらに操作される。従来技術の操作ユニットに関連する多数の不都合は克服される。
【００１３】
操作ユニットは、前述の又は特許文献１（この文脈において明確に参照する）に記載の顕微鏡装置の装置機能を制御するために使用される。特に、センサー、スイッチ、タッチパッド（用語「タッチパッド」は、例えば一般にキーボードの下のノートブックのマウスやキーパッドに代えて提供される、触れると感知する表面を示すものとして用いる）、タッチスクリーン、プラスチックフィルムキーボード等の操作要素に加えて、操作ユニットは電子制御手段及び／又は照明手段を有してもよい。照明手段は、開始された装置機能及び／又は作動された操作装置を表示するために、操作ユニットを照明するために装備される。それに代えて又は加えて、照明手段は、研究すべき標本を照明するために顕微鏡用の照明装置として装備されてもよい。
【００１４】
電子制御手段が、（例えば顕微鏡装置自体に搭載されている）操作ユニットから独立している場合、操作ユニットはより操作し易く、構造的に軽量となり、スペースの占有もより小さくなる。この実施形態では、操作ユニットは本質的に操作要素と、電子制御手段への必要な電気接続手段しか有しない。操作ユニットは軽量で操作し易く、グーズネックホルダーは大きな重量に耐える必要はなく、ゆえに簡単な構造を有し得る。従来は大きく、重い電子制御手段は、例えば顕微鏡装置自体に設けられてもよい。電子制御手段のための適切なハウジングにより電磁適合性が改善される。ハウジングは操作要素のための開口を有する必要はない。操作要素と電子制御手段の切り離しは有利であり、これにより操作ユニット自体を小さく、軽量で操作し易くすることができる。コンパクト構造により、試験中の対象物の目視がより良好になり、操作も益々容易になる。他方で、電子制御手段は高い消費電力を有し、従って、（例えば冷却フィン等を有する）堅牢なキャリアハウジングを通して放出される多量の熱を発し得る。
【００１５】
操作ユニットと顕微鏡装置との操作接続（操作要素と電子制御手段又は電子制御手段とアクチュエータの操作接続）は、ケーブルを介してもよく、又はワイヤレス（無線）でもよい。これには全ての公知の種類の伝達手段が適する。ケーブル接続は好ましくは中空のグーズネックホルダー内をガイドされる。
【００１６】
操作ユニットはグーズネックホルダーに取り外し可能に搭載されてもよく、及び／又はグーズネックホルダーは顕微鏡装置に取り外し可能に搭載されてもよい。従って、操作者が操作ユニットをどこか別の場所に置きたい場合、固定接続に加えて、操作ユニットを顕微鏡装置から取り外すことで緩い接続がもたらされる。接続を外すことができ、また接続状態において機械的接続、場合によっては電気接続を呈する、（プラグイン接続、磁力接続、ねじ接続等の）接続手段が設けられる。
【００１７】
操作ユニットがグーズネックホルダーに取り外し可能に搭載される場合、ワイヤレスの操作接続が好ましい。この場合、操作ユニットは有利には、アキュムレーターやバッテリー等のエネルギー供給装置を具備する。操作ユニットがグーズネックホルダーから分離されていなければ、例えばバッテリーを充電することが可能である。
【００１８】
本発明の更なる利点と実施形態は明細書と付属の図面から明らかになろう。
【００１９】
前述の特徴とこれから以下に記述する特徴が、本発明の範囲から逸脱することなく、記載した特定の組み合わせだけでなく、他の組み合わせやそれら自体で用いられることが理解できよう。
【００２０】
本発明を例示の実施形態を用いて図面に概略的に示し、図面に則して以下に詳細に記載する。
【図面の簡単な説明】
【００２１】
【図１】本発明に従う顕微鏡装置の好ましい実施形態の概略側面図である。
【図２】本発明に従う顕微鏡装置の好ましい実施形態の斜視図である。
【発明を実施するための形態】
【００２２】
図１，２は密着して包括的に描かれており、同一の要素は同一の参照番号が付されている。図２に従う実施形態は、付加的な照明装置７００によって図１に従う実施形態と異なる。
【００２３】
図１は、概して１００で示された本発明に従う顕微鏡装置の好ましい実施形態の概略側面図である。顕微鏡装置１００は、垂直に移動可能なようにスタンド３００に設置された光学顕微鏡２００を有する。さらに顕微鏡装置１００は、顕微鏡装置の装置機能を制御するために設けられた操作ユニット４００を有する。操作ユニット４００は、グーズネックホルダー５００を介してキャリアハウジング６００に取り付けられている。グーズネックホルダー５００はコイル状金属管として具体化されている。キャリアハウジング６００は顕微鏡装置１００のスタンド３００に設置されている。アタッチメントは取り外し可能でもよい。
【００２４】
顕微鏡２００は、大きい操作距離を有する立体顕微鏡として具体化された光学顕微鏡である。しかし、原則として、顕微鏡装置はどんな所望の顕微鏡であってもよい。
【００２５】
図２に示される実施形態では、照明機能を制御するために操作ユニットが据え付けられている。この目的のために、電子制御手段が、試験すべき対象物を照明する照明装置７００を作動させるキャリアハウジング６００に設けられている。キャリアハウジング６００に設けられているのは、特に電流を照明装置及び／又は電子制御手段に供給する接続部６０２である。操作ユニットを電子制御手段に接続するリードは、好ましくはグーズネックホルダー５００内に延びる。
【００２６】
照明装置７００は、好ましくはＬＥＤランプとして具体化された２つの光源７０１を有する。それぞれの光源７０１は照明アーム７０２により担持され、２つの照明アーム７０２もキャリアハウジング６００に設けられている。照明アーム７０２もグーズネックホルダーから成り又は有し、光源７０１をキャリアハウジング６００に機械的に接続する。ケーブルはグーズネックホルダー７０２内に延び、光源７０１をキャリアハウジング６００内部の電子制御手段に電気的に接続する。
【００２７】
照明アーム７０２がキャリアハウジング６００に取り外し可能に設置される場合、キャリアハウジングはこれらの側面に対応する接続手段を有する。図１は、例としてねじ込みプラグコネクター６０１を示す。グーズネックホルダー５００は同様にしてキャリアハウジング６００に接続されてもよい。それに代えて又は加えて、図１に従う実施形態は、操作ユニット４００に一体化された照明装置（不図示）を有してもよい。この照明装置は、試験すべき対象物を照明する機能を果たす。
【００２８】
操作ユニット４００は、照明装置７００を制御する機能を有するタッチボタンとして具体化された操作要素４０１を有する。好ましくは、光源７０１の明るさが一緒に又は互いに独立して設定され、明るさはそれぞれの場合で０％（すなわち、オフ）と１００％（すなわち、フルパワー）の間で調節可能である。
【００２９】
操作ユニット４００が照明装置７００の照明機能を制御するために使用されるとき、有利には、スタンド３００からキャリアハウジング６００を解除することで特に容易に取り外される、操作ユニット４００、キャリアハウジング６００及び照明装置７００を有する照明システムが設けられてもよい。この種の照明システムは本発明の別な主題である。
【００３０】
グーズネックホルダー５００を用いて操作ユニット４００をキャリアハウジング６００に取り付けることで、操作者は操作ユニットを空間内で比較的自由に位置決めすることができる。特に、操作ユニットは顕微鏡の右又は左に配置され、右利き及び左利きの両方の人々が容易にそれを操作することができる。図示の実施形態では、グーズネックホルダーは顕微鏡側面にキャリアハウジング６００に取り付けられ、それはスタンド３００に中央に取り付けられ、それにより操作ユニットは顕微鏡の右及び左の両方に特に簡単に配置され得る。
【００３１】
操作ユニットは、これが操作者の位置から接眼レンズのところで容易に観察されるように配置される。好ましくは、グーズネックホルダー５００は十分長く、それで操作ユニットを、操作者の通常の手の位置の近く、例えば光源の近く、試験されている対象物の近く又はズーム、フォーカス等のための操作ホイールの近くに配置することができる。特に、グーズネックホルダー５００と、付加的なグーズネックホルダーとしての照明アーム７０２は、実質的に同じ長さを有してもよい。
【符号の説明】
【００３２】
１００  顕微鏡装置
２００  顕微鏡
４００  操作ユニット
５００  グーズネックホルダー
【図１】
2013065010.tif 000003
【図２】
2013065010.tif 000004
【外国語明細書】
2013065010000001.pdf
2013065010000002.pdf
2013065010000003.pdf
2013065010000004.pdf